(57)【要約】【課題】医用画像診断を効率的に行い医療従事者の負担を軽減するとともに、質の高い読影ができる医用画像転送システム等を提供する。【解決手段】医用装置は医用画像と関連するテキスト情報をサーバに登録する。サーバは、画像の転送先を設定する送信設定部と、装置間のネットワークの使用状況を確認するネットワーク状況確認部と、サーバの負荷状況を確認するサーバ状況確認部を有す。さらに、受信したテキスト情報、ネットワーク及びサーバの負荷状況に基づいて、画像およびテキスト情報の転送先への転送時間を演算する送信時間演算部を有し、転送時間情報を医用装置に結果表示する。また、医用装置はサーバに登録された画像とテキスト情報を自身で記憶している情報と比較して一致するか否かをチェックするチェック処理部を有し、医用装置間における画像の転送処理を正確かつ効率的に行う。【選択図】図３
2013045195.tif 000002
【特許請求の範囲】
【請求項１】
医用画像を読影するために利用される医用装置と医用画像を管理するサーバとがネットワークを介して接続され、医用画像の転送処理を行う医用画像転送システムであって、
前記医用装置は、
転送対象の医用画像である該当画像のテキスト情報を前記サーバに送信するテキスト情報送信処理部と、
前記該当画像を前記サーバに送信する画像送信処理部と、
を備え、
前記サーバは、
前記該当画像とそのテキスト情報を受信する受信処理部と、
前記該当画像の転送先を設定する送信設定部と、
前記ネットワークの使用状況と前記サーバの負荷状況を確認する状況確認部と、
前記該当画像のテキスト情報、前記ネットワークの使用状況、及び前記サーバの負荷状況に基づいて、前記該当画像を前記転送先に送信する時間に関する転送時間情報を演算する転送時間演算部と、
前記転送時間情報を前記医用装置に発信する転送時間結果発信部と、
前記該当画像を前記転送先に送信する送信処理部と、
を備えることを特徴とする医用画像転送システム。
【請求項２】
前記受信処理部は、
前記該当画像のテキスト情報を受信するテキスト情報受信処理部と、
前記該当画像を受信する画像受信処理部と、
を備え、
前記状況確認部は、
前記ネットワークの使用状況を確認するネットワーク状況確認部と、
前記サーバの負荷状況を確認するサーバ状況確認部と、
を備えたことを特徴とする請求項１に記載の医用画像転送システム。
【請求項３】
前記医用装置は、
前記サーバに記憶されている情報を検索し、前記該当画像のテキスト情報を取得する検索処理部と、
前記検索処理部によって取得された前記該当画像のテキスト情報と、自らが記憶している前記該当画像のテキスト情報とを比較し、一致しているか否かをチェックするチェック処理部と、
前記チェック処理部によるチェック結果を表示するチェック結果表示部と、
を更に備えることを特徴とする請求項２に記載の医用画像転送システム。
【請求項４】
前記医用装置が備える前記検索処理部は、前記サーバから前記該当画像の転送終了の通知を受信すると、前記サーバが備える前記送信処理部によって前記転送先に送信済の前記該当画像のテキスト情報を取得する
ことを特徴とする請求項３に記載の医用画像転送システム。
【請求項５】
前記サーバが備える前記送信設定部は、更に、前記該当画像に対する過去画像、過去所見、及び関連症例を含む付随情報を転送内容として設定し、
前記サーバが備える前記転送時間演算部は、更に、前記転送時間情報として、前記付随テキスト情報、前記ネットワークの負荷状況、及び前記サーバの負荷状況に基づいて、前記付随情報を前記転送先に送信する時間に関する情報を演算し、
前記サーバが備える送信処理部は、更に、前記付随情報を前記転送先に送信する
ことを特徴とする請求項１乃至請求項４のいずれかに記載の医用画像転送システム。
【請求項６】
医用画像を読影するために利用される医用装置と医用画像を管理するサーバとがネットワークを介して接続され、医用画像の転送処理を行う医用画像転送システムにおける医用画像転送方法であって、
前記医用装置が、転送対象の医用画像である該当画像のテキスト情報及び前記該当画像を前記サーバに送信するステップと、
前記サーバが、前記該当画像のテキスト情報及び前記該当画像を受信するステップと、
前記サーバが、前記該当画像の転送先を設定するステップと、
前記サーバが、前記ネットワークの使用状況を確認するステップと、
前記サーバが、前記サーバの負荷状況を確認するステップと、
前記サーバが、前記該当画像のテキスト情報、前記ネットワークの使用状況、及び前記サーバの負荷状況に基づいて、前記該当画像を前記転送先に送信する時間に関する転送時間情報を演算するステップと、
前記サーバが、前記転送時間情報を前記医用装置に発信するステップと、
前記サーバが、前記該当画像を前記転送先に送信するステップと、
を含むことを特徴とする医用画像転送方法。
【発明の詳細な説明】
【技術分野】
【０００１】
本発明は、医用画像を読影するために利用される医用装置と医用画像を管理するサーバとがネットワークを介して接続され、医用画像の転送処理を行う医用画像転送システム等に関するものである。
【背景技術】
【０００２】
医療機関等において、Ｘ線撮影装置やＣＴ（computed tomography：コンピュータ断層撮影）装置、ＭＲＩ装置等の医用画像診断装置によって撮影された医用画像は、医用画像を管理するサーバに登録され、保管される。医師等は登録された医用画像に基づいて患者や検診者（以下、これらをまとめて被検体という）の読影診断を行い、医用診断レポートを作成する。読影診断に必要な医用画像は膨大な量（枚数、容量など）であるため、医用画像管理サーバと読影端末等の医用装置間における画像の転送を効率的に行うシステムが必要とされている。
【０００３】
また、一般的に医用画像は、被検体の医用画像毎に担当となる読影医が決められているが、近年では、通信ネットワークの向上により医用画像等のデータの送受信が容易になったことから、別の医療機関の読影医に医用画像の診断を依頼することも増えてきており、遠隔地間および複数の医療機関において効率的に医用画像等を転送し、管理できるシステムが望まれている。
【０００４】
例えば、特許文献１には、担当の読影医から他の医師に読影を依頼する際に、依頼状況に応じて関連する医用画像の割り当てについて、患者単位、検査単位、シリーズ単位で設定することが可能な医用画像読影管理システムが開示されている。
また、特許文献２には、複数枚の医用画像を転送する際に、撮影番号と最終画像フラグを付加して管理することで、各医用画像が全て揃ったか否かを正確に判断する医用ネットワークシステムが開示されている。
【先行技術文献】
【特許文献】
【０００５】
【特許文献１】特開２００６−２７１６２４号公報
【特許文献２】特開２００８−０５４７１１号公報
【発明の概要】
【発明が解決しようとする課題】
【０００６】
しかしながら、特許文献１の医用画像読影管理システムでは、読影医への関連する医用画像の割り当ての設定は可能であるが、いつ医用画像が登録されて転送されてくるのかが不明瞭であった。そのため読影医は、転送元からの医用画像が正しく登録されているかの確認が必要となり、正確な読影診断が困難であった。また、他の読影医への依頼が出来ない場合も想定されるという課題があった。
特許文献２の医用ネットワークシステムでは、複数枚の医用画像を転送する際に、各医用画像が全て揃ったか否かを正確に判断することはできるが、必要な医用画像が正しく揃う時間を事前に把握することができないので、多忙な読影医にとっては、効率的に業務を遂行することができないという問題があった。
【０００７】
本発明の目的は、前述した問題点に鑑みてなされたものであり、医用画像診断を効率的に行い医療従事者の負担を軽減するとともに、質の高い読影ができる医用画像転送システム等を提供することにある。
【課題を解決するための手段】
【０００８】
前述した目的を達成するために、第１の発明は、医用画像を読影するために利用される医用装置と医用画像を管理するサーバとがネットワークを介して接続され、医用画像の転送処理を行う医用画像転送システムであって、前記医用装置は、転送対象の医用画像である該当画像のテキスト情報を前記サーバに送信するテキスト情報送信処理部と、前記該当画像を前記サーバに送信する画像送信処理部と、を備え、前記サーバは、前記該当画像とそのテキスト情報を受信する受信処理部と、前記該当画像の転送先を設定する送信設定部と、前記ネットワークの使用状況と前記サーバの負荷状況を確認する状況確認部と、前記該当画像のテキスト情報、前記ネットワークの使用状況、及び前記サーバの負荷状況に基づいて、前記該当画像を前記転送先に送信する時間に関する転送時間情報を演算する転送時間演算部と、前記転送時間情報を前記医用装置に発信する転送時間結果発信部と、前記該当画像を前記転送先に送信する送信処理部と、を備えることを特徴とする医用画像転送システムである。
第１の発明によって、医師等が読影診断に必要な医用画像およびテキスト情報が全て揃う時間を把握することができ、業務を効率的に行うことができる。
【０００９】
前記受信処理部は、前記該当画像のテキスト情報を受信するテキスト情報受信処理部と、前記該当画像を受信する画像受信処理部と、を備え、前記状況確認部は、前記ネットワークの使用状況を確認するネットワーク状況確認部と、前記サーバの負荷状況を確認するサーバ状況確認部と、を備える。
【００１０】
また、前記医用装置は、更に、前記サーバに記憶されている情報を検索し、前記該当画像のテキスト情報を取得する検索処理部と、前記検索処理部によって取得された前記該当画像のテキスト情報と、自らが記憶している前記該当画像のテキスト情報とを比較し、一致しているか否かをチェックするチェック処理部と、前記チェック処理部によるチェック結果を表示するチェック結果表示部と、を備える。
これにより、医用画像およびテキスト情報が過不足なく転送処理され、医師等の読影漏れを防ぐことができる。また、医用装置のシステムエラーおよび送置間のネットワークエラーなどによる画像データの消失を防ぐことができる。さらに、転送先の指定ミスや転送すべきデータの指定ミスなどの人為的なミスについても、結果表示をすることで確認してエラー対処することができる。
【００１１】
さらに、前記医用装置が備える前記検索処理部は、前記サーバから前記該当画像の転送終了の通知を受信すると、前記サーバが備える前記送信処理部によって前記転送先に送信済の前記該当画像のテキスト情報を取得する。
これにより、チェックする対象の画像が送信済みの該当画像に限定され、転送が完了したか否かをより正確に判断することができる。
【００１２】
前記サーバが備える前記送信設定部は、更に、前記該当画像に対する過去画像、過去所見、及び関連症例を含む付随情報を転送内容として設定し、前記サーバが備える前記転送時間演算部は、更に、前記転送時間情報として、前記付随テキスト情報、前記ネットワークの負荷状況、及び前記サーバの負荷状況に基づいて、前記付随情報を前記転送先に送信する時間に関する情報を演算し、前記サーバが備える送信処理部は、更に、前記付随情報を前記転送先に送信する。
これにより、医用画像に付随する情報も全て正確に転送処理することができる。また、読影診断の際に過去画像および過去所見との比較、経年変化を追跡することができ、より質の高い読影診断ができる。
【００１３】
第２の発明は、医用画像を読影するために利用される医用装置と医用画像を管理するサーバとがネットワークを介して接続され、医用画像の転送処理を行う医用画像転送システムにおける医用画像転送方法であって、前記医用装置が、転送対象の医用画像である該当画像のテキスト情報及び前記該当画像を前記サーバに送信するステップと、前記サーバが、前記該当画像のテキスト情報及び前記該当画像を受信するステップと、前記サーバが、前記該当画像の転送先を設定するステップと、前記サーバが、前記ネットワークの使用状況を確認するステップと、前記サーバが、前記サーバの負荷状況を確認するステップと、前記サーバが、前記該当画像のテキスト情報、前記ネットワークの使用状況、及び前記サーバの負荷状況に基づいて、前記該当画像を前記転送先に送信する時間に関する転送時間情報を演算するステップと、前記サーバが、前記転送時間情報を前記医用装置に発信するステップと、前記サーバが、前記該当画像を前記転送先に送信するステップと、を含むことを特徴とする医用画像転送方法である。
第２の発明によって、医師等が読影診断に必要な医用画像およびテキスト情報が全て揃う時間を把握することができ、業務を効率的に行うことができる。
【発明の効果】
【００１４】
本発明により、医用画像診断を効率的に行い医療従事者の負担を軽減するとともに、質の高い読影環境を整えることができる医用画像転送システム等を提供できる。
【図面の簡単な説明】
【００１５】
【図１】医用装置１、サーバ３、医用装置２の構成の一例を示すブロック図
【図２】医用装置１を構成する制御部の詳細を示すブロック図
【図３】サーバ３を構成する制御部の詳細を示すブロック図
【図４】医用装置２を構成する制御部の詳細を示すブロック図
【図５】医用装置１の情報送信処理を示すフロー図
【図６】医用装置１の検索処理を示すフロー図
【図７】サーバ３の情報受信処理を示すフロー図
【図８】サーバ３の演算処理を示すフロー図
【図９】サーバ３の送信処理を示すフロー図
【図１０】サーバ３から送信設定処理を示すフロー図
【図１１】サーバ３の転送時間発信処理および送信内容変更受信処理を示すフロー図
【図１２】医用装置２の転送時間受信処理および送信内容変更発信処理を示すフロー図
【図１３】医用装置２の画像／所見受信処理を示すフロー図
【図１４】サーバ３の送信設定時の画面例
【図１５】医用装置２の転送時間受信時の画面例
【図１６】医用装置２の送信内容変更時の画面例
【図１７】医用装置１の送信先に登録した画像一覧を示す画面例
【発明を実施するための形態】
【００１６】
以下、本発明に係る医用画像転送システム等の好適な実施形態について図面を用いて説明する。
【００１７】
本発明の実施の形態における医用画像転送システムは、医用画像を管理する医用画像管理システム、読影医が医用画像を読影してレポートを作成する医用診断作業を支援する医用診断レポートシステムなどに実装される。
【００１８】
まず、図１に基づいて本実施形態に係る医用画像転送システムを構成する、医用装置１、サーバ３、医用装置２のハードウェア構成について説明する。
【００１９】
図１に示すように、医用画像転送システムは、医用装置１と医用装置２とサーバ３とが、ネットワーク４を介して接続され、医用画像の転送処理を行う。ネットワーク４は、病院内のＬＡＮ（Local Area Network）でも良いし、病院間のＷＡＮ（Wide
Area Network）でも良いし、インターネットでも良い。
【００２０】
医用装置１は、CPU（Central
Processing Unit）、ROM（Read Only Memory）、RAM（Random Access
Memory）、及びHDD（Hard Disc Drive）などを実装したコンピュータシステムである。
医用装置１は、図１に示すように、制御部１０１と、制御部１０１に接続されたモニタ１０２、入力部１０３、データベース１０４を有している。
制御部１０１は、システム全体を制御する。
モニタ１０２は、医用画像、診断レポート、過去に読影を行った医用診断レポート、読影に利用する医用画像および所見箇所を簡略化したシェーマ図など医用情報を表示する。
【００２１】
入力部１０３はキーボード、マウスを含む各種ポインティングデバイス、音声認識に用いるマイクなどの入力手段およびカードリーダ、指紋認証装置などのセキュリティ機器を備えており、操作者は、入力手段およびセキュリティ機器を利用してシステムにログインする。ログインした操作者は、モニタ１０２に表示される医用画像を観察し、入力部１０３を用いて医用診断レポートの所見を入力する。
【００２２】
データベース１０４は、予め医用診断レポート、医用画像およびシェーマ図など医用情報および操作者のユーザ情報などを記憶しておき、これらの情報を基に医用診断レポートを作成するためのデータベース装置である。データベース装置には、ＲＡＩＤ装置に代表されるデータベース装置を保護する機能を持った記憶ドライブや、ＣＤ−Ｒ，ＤＶＤ−Ｒなどのメディアを読み書きすることのできる記憶ドライブが接続されており、これらの記憶ドライブに医用診断レポートを保存できる。また、このデータベースは既知のものであって、例えばリレーショナルデータベースなどがあり、ネットワークを介して医用診断レポートを保存することもできる。
【００２３】
医用装置２は、医用装置１と同様に、制御部１０９と、制御部１０９に接続されたモニタ１１０、入力部１１１、データベース１１２を有しており、各部の機能も同様である。
【００２４】
サーバ３は、CPU（Central Processing Unit）、ROM（Read Only Memory）、RAM（Random Access Memory）、及びHDD（Hard Disc Drive）などを実装したコンピュータシステムである。サーバ３は、制御部１０５と、制御部１０５に接続されたモニタ１０６、入力部１０７、データベース１０８を有している。
【００２５】
次に図２〜図４で、医用装置１、サーバ３、医用装置２の制御部の構成について説明する。
【００２６】
まず、図２は医用装置１の制御部１０１の詳細な構成を示すブロック図である。
制御部１０１は、図２に示すように、テキスト情報送信処理部２０１と、該当画像送信処理部２０２と、検索処理部２０３と、チェック処理部２０４と、チェック結果表示部２０５とを有している。
テキスト情報送信処理部２０１は、ネットワークを介した登録、またはメディアなどから登録された該当画像のテキスト情報（ＩＤ、氏名、生年月日、性別、検査日、モダリティ、枚数、容量など）をサーバ３に送信する。
【００２７】
該当画像送信処理部２０２は、ネットワークを介した登録、またはメディアなどから登録された該当画像をサーバ３に送信する。
検索処理部２０３は、該当画像送信処理部２０２で送信したサーバ３に対して、検索し情報を取得する。
チェック処理部２０４は、検索処理部２０３にて取得した情報と、医用装置１に登録された情報とを比較し、チェック処理を行う。チェック処理については実施例２として後述する。
チェック結果表示部２０５は、チェック処理部２０４にてチェックした結果をモニタ１０２に表示する。
【００２８】
図３はサーバ３の制御部１０５の詳細な構成を示すブロック図である。
制御部１０５は、図３に示すように、テキスト情報受信処理部３０１と、該当画像受信処理部３０２と、ネットワーク確認部３０３と、サーバ状況確認部３０４と、該当画像演算部３０５と、過去画像演算部３０６と、過去所見演算部３０７と、関連症例演算部３０８と、該当画像送信処理部３０９と、過去画像送信処理部３１０と、過去所見送信処理部３１１と、関連症例送信処理部３１２と、送信設定部３１３と、転送時間結果発信部３１４と、送信内容変更受信部３１５とを有している。
【００２９】
テキスト情報受信処理部３０１は、医用装置１のテキスト情報送信処理部２０１にて送信された情報を受信する。
該当画像受信処理部３０２は、各医用装置から送信された該当画像を受信する。
ネットワーク確認部３０３は、ネットワーク４の負荷状況を確認する。ネットワーク４の負荷状況とは、具体的には、ネットワーク４の使用率等である。ネットワーク４の使用率等は、例えば、ＯＳ（Operating System）によって提供されている各種コマンドを利用することによって確認することができる。
サーバ状況確認部３０４は、サーバ３の負荷状況と、転送データの混雑状況を確認する。サーバ３の負荷状況とは、具体的には、サーバ３のＣＰＵ使用率、メモリ使用率等である。サーバ３のＣＰＵ使用率、メモリ使用率等も、例えば、ＯＳによって提供されている各種コマンドを利用することによって確認することができる。
【００３０】
また、転送データの混雑状況とは、待ち行列（キュー）に含まれる転送データ群のデータ容量などである。待ち行列に含まれる転送データ群のデータ容量は、サーバ３にインストールされる医用画像転送アプリケーション（不図示）の機能によって確認する。つまり、サーバ３は、自らが医用装置１等から受け付けた複数の転送データ群を待ち行列として管理する。そして、サーバ３は、サーバ状況確認部３０４によって、待ち行列に含まれる転送データ群のデータ容量を確認する。
【００３１】
該当画像演算部３０５は、ネットワーク確認部３０３と、サーバ状況確認部３０４と、テキスト情報受信処理部３０１にて受信した情報とを加味して、医用装置２への転送に要する時間（以下、「転送時間」と表記する。）などを演算する。
【００３２】
転送時間は、一般には、送信データのデータ容量をデータ転送速度によって割った値である。本発明の実施の形態では、データ転送速度として、ネットワーク４の使用状況やサーバ３の負荷状況を加味して推定された転送速度（以下、「推定転送速度」と表記する。）を用いる。推定転送速度の算出手法については、公知の手法を用いれば良い。例えば、最大転送速度（＝ネットワーク４やサーバ３がほとんど使用されていないと仮定したときの転送速度）を予め求めておき、最大転送速度、ネットワーク４の使用率、サーバ３のＣＰＵ使用率、メモリ使用率などを変数とする所定の算出式によって、推定転送速度を算出することができる。また、転送が完了する時刻（以下、「転送完了時刻」と表記する。）は、現在時刻から、待ち行列に含まれている転送データ群の転送時間、及び対象の転送データの転送時間を加算した時刻となる。以下、転送時間及び転送完了時刻の両方を含めて「転送時間情報」と表記する。
【００３３】
過去画像演算部３０６は、ネットワーク確認部３０３と、サーバ状況確認部３０４と、該当画像の過去画像数(枚数、容量など)を加味し、医用装置２への転送時間情報を演算する。なお、過去画像のさかのぼり回数などは、送信設定部３１３の設定に従う。
過去所見演算部３０７は、ネットワーク確認部３０３と、サーバ状況確認部３０４と、該当画像の過去所見数(枚数、容量など)を加味し、医用装置２への転送時間情報を演算する。過去所見のさかのぼり回数などは、送信設定部３１３の設定に従う。
関連症例演算部３０８は、ネットワーク確認部３０３と、サーバ状況確認部３０４と、過去所見の関連症例(枚数、容量など)を加味し、医用装置２への転送時間情報を演算する。関連症例のさかのぼり数などは、送信設定部３１３の設定に従う。
【００３４】
該当画像送信処理部３０９は、該当画像を医用装置２に送信する。
過去画像送信処理部３１０は、該当画像の過去画像を医用装置２に送信する。
過去所見送信処理部３１１は、該当画像の過去所見を医用装置２に送信する。
関連症例送信処理部３１２は、過去所見の関連症例を医用装置２に送信する。
【００３５】
送信設定部３１３は、図１４（後述）の画面例のように送信先の設定、送信内容(該当画像、過去画像、過去所見、関連症例)、過去画像のさかのぼり回数、過去所見さかのぼり回数、関連モダリティ、関連部位、関連症例などの設定を行う。
転送時間結果発信部３１４は、該当画像演算部３０５、過去画像演算部３０６、過去所見演算部３０７、関連症例演算部３０８の結果を送信する。
医用装置２が転送時間結果発信部３１４から情報受信した画面例を図１５（後述）に示す。
【００３６】
送信内容変更受信部３１５は、図１６（後述）の画面例のように送信設定部３１３にて設定した項目を医用装置に送信し、変更指示を受信する。たとえば、送信設定部３１３において該当画像のみを転送対象として設定している場合、過去画像、過去所見を転送対象として追加する変更指示が可能である。
【００３７】
図４は医用装置２の制御部１０９の詳細な構成を示すブロック図である。
制御部１０９は、図４に示すように、転送時間受信部４０１と、送信内容変更発信部４０２と、画像／所見受信処理部４０３とを有している。
【００３８】
以上の構成に基づき、本発明の医用画像転送システムの第１の実施の形態を、図５、図７〜図１３のフロー図を参照しながら説明する。図５、図７〜図１３のフロー図では、装置別に処理が図示されている。以下では、装置ごとに処理内容を説明するのではなく、実行される処理の順序に沿って処理内容を説明する。
【００３９】
〔第１の実施の形態〕
図５のフロー図では、医用画像転送システムにおける、医用装置１の送信処理について説明する。
操作者は、医用装置１にサーバ３へ送信する画像を登録する。ここで、医用装置１のテキスト情報送信処理部２０１は、これから送信する画像のテキスト情報（ＩＤ、氏名、生年月日、性別、検査日、モダリティ、枚数、容量など）をサーバ３に送信する(ステップ５０１)。送信手段は、特に限定しない。
【００４０】
続いて、図７のサーバ３の受信処理を説明する。
ステップ７０１において、ステップ５０１で医用装置１から送信されたテキスト情報をサーバ３のテキスト情報受信処理部３０１が受信する。
サーバ３は、送信設定部３１３に設定されている情報をもとに、医用装置２などへ送信する（不図示）。
【００４１】
サーバ３の設定処理について図１０を用いて説明する。
サーバ３の送信設定部３１３は、送信先、過去画像送信条件、過去所見送信条件、関連症例送信条件などを設定することができる(ステップ１００１)。
【００４２】
ここで図１４について説明する。
図１４は、サーバ３の送信条件設定の画面例である。図１４の画面例に示すように、サーバ３の送信設定部３１３は、送信先、該当画像転送の有無、過去画像転送の有無、過去所見転送の有無、関連症例転送の有無、過去画像回数およびモダリティや部位の条件、過去所見回数およびモダリティや部位の条件、関連症例の関連設定などを表示し、操作者が条件を入力設定できるようになっている。
【００４３】
次にサーバ３の演算処理について図８を用いて説明する。
サーバ３のネットワーク確認部３０３は、送信設定部３１３に設定されている情報をもとにして該当画像や過去画像を医用装置２へ転送する前に、ネットワーク４の負荷状況を確認し、転送速度を確認する（ステップ８０１）。
【００４４】
続いて、サーバ状況確認部３０４は、該当データ以外に送信する必要があるデータの混雑状況を確認し、サーバ３の負荷状況を確認する(ステップ８０２)。
該当画像演算部３０５は、テキスト情報受信処理部３０１にて受信したテキスト情報、ネットワーク確認部３０３で確認したネットワーク４の負荷状況、サーバ状況確認部３０４で確認したサーバ３の負荷状況をもとに、該当画像を医用装置２へ送信する時間を演算する（ステップ８０３）。
【００４５】
過去画像演算部３０６は、テキスト情報受信処理部３０１にて受信したテキスト情報と送信設定部３１３にて設定された条件をもとに、送信する必要がある過去画像がある場合は、過去画像を医用装置２へ送信する転送時間を演算する（ステップ８０４）。ここで、転送時間は、ステップ８０１およびステップ８０２で取得したネットワーク４の負荷状況およびサーバ３の負荷状況、送信する過去画像の容量および枚数から算出する。
【００４６】
過去所見演算部３０７は、テキスト情報受信処理部３０１にて受信したテキスト情報と送信設定部３１３にて設定された条件をもとに、送信する必要がある過去所見がある場合は、過去所見を医用装置２へ送信する時間を演算する（ステップ８０５）。ここで、転送時間は、ステップ８０１およびステップ８０２で取得したネットワーク４の負荷状況およびサーバ３の負荷状況、送信する過去所見の容量から算出する。
【００４７】
関連症例演算部３０８は、テキスト情報受信処理部３０１にて受信したテキスト情報と送信設定部３１３にて設定された条件をもとに、送信する必要がある関連症例がある場合は、関連症例を医用装置２へ送信する時間を演算する（ステップ８０６）。ここで、転送時間は、ステップ８０１およびステップ８０２で取得したネットワーク４の負荷状況およびサーバ３の負荷状況、送信する関連症例の容量から算出する。
【００４８】
次に図１１を用いて、サーバ３の転送時間発信および送信内容を変更するフローについて説明する。
サーバ３の転送時間結果発信部３１４は、該当画像演算部３０５、過去画像演算部３０６、過去所見演算部３０７、関連症例演算部３０８の算出結果、すなわち、ステップ８０３〜８０６にて得られた転送時間を、図１０のステップ１００１において、送信設定部３１３で設定した送信先、具体的には、ここでは医用装置２に情報を発信する（ステップ１１０１）。
なお、送信先の医用装置２はコンピュータシステムに限らず携帯電話なども含めることができる。
【００４９】
次に図１２の医用装置２の転送時間受信および送信内容を示すフロー図について説明する。
転送時間受信部４０１は、ステップ１１０１でサーバ３から発信された転送時間を受信する（ステップ１２０１）。
【００５０】
ここで、図１５について説明する。
図１５は医用装置２においてステップ１２０１で転送時間を受信した時の画面例である。医用装置２のモニタ１１０には、現在時刻、当日画像到着、過去画像到着、過去所見到着、関連所見到着が表示され、図１５の画面例の場合、１６：００、１６：２０、１６：４０、１６：４５、１６：４７である。なお、医用装置２の操作者は、ステップ１２０１で転送時間を受信後に送信内容を変更することができる。
【００５１】
図１６に示す医用装置２における送信内容を変更する画面例について説明する。
図１６の画面例では、医用装置２のモニタ１１０に、具体的には、現在時刻：１６：００、当日画像１６：２０、過去画像到着、過去所見到着、関連所見到着に関しては全て未設定で、その横に配送指示のボタンが表示される。医用装置２の操作者が送信設定部３１３にて設定した条件が該当画像のみで、過去画像を必要としない場合でも、転送時間受信部４０１が転送時間を受信した後で、過去画像と過去所見が必要となる場合もあるため、あとから予め設定された送信条件を変更することができる。医用装置２は変更後の条件をサーバ３へ発信する（ステップ１２０２）。
【００５２】
サーバ３は、ステップ１２０２の情報を送信内容変更受信部３１５にて受信し、変更内容を反映し、医用装置２への送信を行う（ステップ１１０２）。
【００５３】
医用装置１の該当画像送信処理部２０２は、該当する画像データをサーバ３に送信する（ステップ５０２）。
サーバ３の該当画像受信処理部３０２は、ステップ５０２の画像データを受信する（ステップ７０２）。
続いて、該当画像送信処理部３０９は、ステップ７０２で受信した画像を送信設定部３１３にて設定した送信先に画像を送信する(ステップ９０１)。
【００５４】
過去画像送信処理部３１０は、受信した画像と送信設定部３１３にて設定された条件をもとに、送信する必要がある過去画像がある場合は、過去画像を医用装置２へ送信する（ステップ９０２）。
過去所見送信処理部３１１は、受信した画像と送信設定部３１３にて設定された条件をもとに、送信する必要がある過去所見がある場合は、過去所見を医用装置２へ送信する（ステップ９０３）。
関連症例送信処理部３１２は、テキスト情報受信処理部３０１にて受信したテキスト情報と送信設定部３１３にて設定された条件をもとに、送信する必要がある関連症例がある場合は、関連症例を医用装置２へ送信する（ステップ９０４）。
【００５５】
医用装置２の画像／所見受信処理部４０３は、サーバ３のステップ９０１〜９０４にて送信される画像／所見を受信する。全データ到着後に医用装置２に全データ到着と表示することも可能とする（ステップ１３０１）。
【００５６】
〔第１の実施の形態の効果〕
以上により、医師等が読影診断に必要な医用画像およびテキスト情報が全て揃う時間を把握することができ、業務を効率的に行うことができる。また、医用画像およびテキスト情報が過不足なく転送処理され、医師等の読影漏れを防ぐことができる。
【００５７】
次に、本発明の医用画像転送システムの第２の実施の形態について、図５〜図７のフロー図と図１７の画面例を参照して説明する。
【００５８】
〔第２の実施の形態〕
該当画像が通信エラーなどの障害により正確に登録および送信されているかどうかの情報確認をする場合における医用装置１およびサーバ３の動作を説明する。
【００５９】
サーバ３は、テキスト情報受信処理部３０１で受信した情報をもとに、登録された画像の枚数を確認することができる。しかし、後から画像が追加された場合を考慮し、医用装置１が該当画像送信後に、送信した画像が合致するかどうか確認する方法を説明する。
【００６０】
医用装置１からサーバ３へ該当画像を送信するところまでのステップは第１の実施の形態と同様である。
ステップ５０２において、医用装置１の該当画像送信処理部２０２が該当画像を送信した後、検索処理部２０３は、該当画像を送信したサーバ３に検索を行う(ステップ６０１)。
【００６１】
特に、検索処理部２０３は、サーバ３から該当画像の転送終了の通知を受信した後、サーバ３の該当画像送信処理部３０９によって転送先に送信済の該当画像のテキスト情報を取得することが望ましい。これによって、チェックするタイミングが、サーバによる転送先への転送が終了した後になり、チェック対象が送信済の該当画像になるので、正確に転送が完了したか否かを確認することができる。
【００６２】
また、サーバ３が、該当画像以外に、過去画像、過去所見、関連症例などの付随情報を送信する場合、検索処理部２０３は、サーバ３から該当画像及び付随情報の転送終了の通知を受信した後、サーバ３によって転送先に送信済の該当画像及び付随情報のテキスト情報なども取得することが望ましい。
これによって、付随情報も含めて正確に転送が完了したか否かを確認することができる。
【００６３】
医用装置１のチェック処理部２０４は、検索処理部２０３にて取得した情報(ID、氏名、枚数など)と医用装置１のデータベース１０４に登録されている情報(ID、氏名、枚数など)を照合しチェックする(ステップ６０２)。
医用装置１のチェック結果表示部２０５は、チェック処理部２０４にてチェックした内容を表示する(ステップ６０３)。例えば、送信先に登録された情報と医用装置１のデータベース１０４に登録されている情報が一致している場合には○、不一致が生じている場合には×とし、不一致となっている項目および内容を一覧にして表示する(図１７)。
【００６４】
ここで図１７について説明する。
図１７は医用装置１から送信先に登録した画像一覧を示す画面例である。送信先に登録した画像に関する情報（ＩＤ、被検体氏名、検査日、モダリティ、シリーズ数／枚数、結果）を一覧で表示する。図１７では例えば、ＩＤが12345で被検体氏名が○○、検査日が2011/02/02、モダリティがＲＦの画像は、シリーズ数／枚数が１／１２であり、医用装置１のデータベース１０４に登録されている情報と送信先に登録された情報が一致しており正確に登録されているとして結果が○と表示される。
【００６５】
尚、不一致が生じている場合、医用装置１やサーバ３は、エラーの内容によっては、自動的に再送するようにしても良い。例えば、医用装置１が処理中にシャットダウンされたことによるエラー、ネットワーク４の通信量増大によるエラー、医用装置２が起動されていないことによるエラー等であれば、しばらく時間を空けた後、再送処理を行うようにしても良い。
【００６６】
〔第２の実施の形態の効果〕
医用装置間における画像送信においては、送信する医用装置のシステムエラー、装置間のネットワークエラー、受信する医用装置のシステムエラーなどにより、確実にデータが送信されたか分からないこともあり、画像消失を招くことがある。上述のチェック機能によりデータ登録を正確に確認することができ画像消失を防ぐことができる。また、人為的なミス（転送先の指定ミスや転送すべきデータの指定ミスなど）についても、チェック結果表示部２０５の機能によって確認し対処することができる。
さらに、医用画像に付随する情報も全て正確に転送処理することができため、読影診断の際に過去画像および過去所見との比較、経年変化を追跡することができ、より質の高い読影診断ができる。
【００６７】
以上、添付図面を参照しながら、本発明に係る医用画像転送システム等の好適な実施形態について説明したが、本発明は係る例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６８】
１…医用装置
２…医用装置
３…サーバ
４…ネットワーク
【図１】
2013045195.tif 000003
【図２】
2013045195.tif 000004
【図３】
2013045195.tif 000005
【図４】
2013045195.tif 000006
【図５】
2013045195.tif 000007
【図６】
2013045195.tif 000008
【図７】
2013045195.tif 000009
【図８】
2013045195.tif 000010
【図９】
2013045195.tif 000011
【図１０】
2013045195.tif 000012
【図１１】
2013045195.tif 000013
【図１２】
2013045195.tif 000014
【図１３】
2013045195.tif 000015
【図１４】
2013045195.tif 000016
【図１５】
2013045195.tif 000017
【図１６】
2013045195.tif 000018
【図１７】
2013045195.tif 000019